(57)【特許請求の範囲】
【請求項１】
紡糸口金から吐出された溶融ポリマーがその中を走行しつつ冷却風によって冷却固化される紡糸筒の上部に、糸条通過用穴部を有し作業側から糸条の通過方向と交差する方向に向かって装着可能な分割シャッターが設けられた構成の紡糸筒において、前記分割シャッターを、紡糸口金と略同軸心に糸条通過用穴部が形成されるように、かつ前記糸条通過用穴部と略軸心位置において２分割し、分割した一方を奥側シャッター、他方を引き出し側シャッターとして構成すると共に、前記紡糸筒上部に前記奥側シャッターの押し込み又は引き出し用のガイドを設け、さらに、前記引き出し側シャッターが乗った状態で押し込み又は引き出しが可能な支持部材を前記奥側シャッターに設けることにより、前記引き出し側シャッターのみ又はこの引き出し側シャッターと前記奥側シャッターの両方のシャッターを同時に押し込み又は引き出すことができることを特徴とする紡糸筒。
【請求項２】
糸条通過可能な待機位置と冷却風又は外気が紡糸口金部に入り込まないようにする遮蔽位置とに移動可能な保温用シャッターを前記分割シャッターの上方又は下方に設けたことを特徴とする請求項１に記載の紡糸筒。
【発明の詳細な説明】
【０００１】
【発明の属する技術分野】
本発明は合成繊維糸条製造設備における紡糸筒に関するものである。
【０００２】
【従来の技術】
一般に、ポリエステル、ポリアミド等の合成繊維糸条製造設備はギアポンプ（図示せず）からの溶融ポリマを吐出する紡糸口金を有するパックが装着されたスピンブロックと、該スピンブロックの下方に設置され、紡糸口金から吐出された溶融ポリマーを冷却固化して糸条にする紡糸筒と、該紡糸筒から送出された糸条を延伸または引き取って巻き取る巻取機とにより構成されている。
【０００３】
上述の紡糸筒は例えば特開昭５５−５１８０８号公報に記載されているような筒本体５に冷却風供給室と、吹き込み側整流部と、流出側整流部とが設けられていると共に、該筒本体の上部にシャッターが糸条走行方向と直交する方向に装着された構成になっている。
【０００４】
該シャッターは紡糸口金と同軸心に糸条通過用穴部が形成されるように、かつ糸条通過用穴部と略軸心位置において２分割され、引き出し側のシャッターには取手が設けられ、筒本体に形成されたガイドに沿って押し込みまたは引き出し操作ができるようになっており、奥側のシャッターは筒本体の奥側に位置するように該ガイドに挿入されている
【０００５】
【発明が解決しようとする課題】
上述のような紡糸筒においては引き出し側のシャッターのみが押し込みまたは引き出し可能な構成であるため、口金位置調節作業は該シャッターを引き出してしまうことにより行うことができるが、パックを交換する場合には引き出し側のシャッターと奥側のシャッターの両方を引き出さなければならず、引き出し用の取手が設けられていない奥側のシャッターの引き出し作業が困難であると共に、円滑に引き出すことができないという問題がある。
【０００６】
また、紡糸口金から糸条を吐出させない状態で紡糸筒に冷却風が供給されていると、シャッターの紡糸口金の糸条吐出軸心と略同一軸心位置に形成された糸条走行用の穴部から冷却風が紡糸口金に向って噴射される状態となり、紡糸口金の下面が冷却されて糸条の吐出を再開する時の障害になるという問題がある。
【０００７】
本発明はシャッターの押し込みまたは引き出し操作が容易にかつ円滑に行うことができる紡糸筒を提供することを目的とするものである。
【０００８】
【課題を解決するための手段】
本発明の紡糸筒は請求項１に記載のように分割シャッターを、紡糸口金と略同軸心に糸条通過用穴部が形成されるように、かつ前記糸条通過用穴部と略軸心位置において２分割し、分割した一方を奥側シャッター、他方を引き出し側シャッターとして構成すると共に、前記紡糸筒上部に前記奥側シャッターの押し込み又は引き出し用のガイドを設け、さらに、前記引き出し側シャッターが乗った状態で押し込み又は引き出しが可能な支持部材を前記奥側シャッターに設けることにより、前記引き出し側シャッターのみ又はこの引き出し側シャッターと前記奥側シャッターの両方のシャッターを同時に押し込み又は引き出すことができることを特徴とするものである。
【０００９】
また、本発明の紡糸筒は請求項２に記載のような、糸条通過可能な待機位置と冷却風又は外気が紡糸口金部に入り込まないようにする遮蔽位置とに移動可能な保温用シャッターを分割シャッターの上方又は下方に設けた構成にすることができる。
【００１０】
【発明の実施の形態】
図１は本発明の紡糸筒の構成の１実施例を示す概略図、図２は図１におけるＩ−Ｉ矢視図であって、該紡糸筒はギアポンプ（図示せず）からの溶融ポリマを吐出する紡糸口金３を有するパック２が装着されたスピンブロック１の下方に設置され、筒本体４に冷却風供給室５と、金網あるいは多孔部材で形成された整流手段等の吹き込み部６とが設けられていると共に、該筒本体４の上部に分割シャッター７と保温用シャッター８が糸条走行方向と直交する方向に装着された構成になっている。
【００１１】
該分割シャッター７は紡糸口金３と略同軸心に糸条通過用穴部７ａが形成されるように、かつ糸条通過用穴部７ａと略軸心位置において２分割された奥側シャッター９と引き出し側シャッター１０とにより構成されている。
【００１２】
上述の筒本体４の上部には奥側シャッター９を押し込みまたは引き出し可能なように支持するガイド部１１ａと、保温用シャッター８を押し込みまたは引き出し可能なように支持するガイド部１１ｂを有する形状のガイド１１が設けられている。
【００１３】
奥側シャッター９は糸条通過用穴部７ａを形成する半円状切り欠き部１２ａを有する遮蔽板１２と、端部が遮蔽板１２に取り付けられ、引き出し側シャッター１０を押し込みまたは引き出し可能に支持するための支持部材１３と、該支持部材１３の他端部（引き出し側）に取り付けられた取手部材１４とにより構成されている。
【００１４】
引き出し側シャッター１０は糸条通過用穴部７ａを形成する半円状切り欠き部１５ａを有する遮蔽板１５と、該遮蔽板１５の引き出し側に取り付けられた取手部材１６とにより構成されている。
【００１５】
上述の筒本体４のガイド１１の入口部には引き出し側シャッター１０の遮蔽板１５および保温用シャッター８が当接する引き出し位置規制用のストッパ１７が設けられている。該ストッパ１７を省略できることは言うまでもない。
【００１６】
保温用シャッター８は筒本体４からパック２に向って冷却風が噴出しないようにす遮蔽板１８と、該遮蔽板１８の後端部に取り付けられた取手部材１９とにより構成されている。該取手部材１９は先端部に設けることは可能である。
【００１７】
上述の分割シャッター７は４個のパック２に対応できるようにすると共に、保温用シャッター８も４個のパック２に対応できるようにしたが、対処できるパック数が限定されないことは言うまでもない。
【００１８】
奥側シャッター９の支持部材１３と取手部材１４を一つの部材で形成すること、引き出し側シャッター１０の取手部材１６を連結部材と取手部材の二つの部材で形成できることは言うまでもない。
【００１９】
本発明の紡糸筒は吹き込み部６と対向する位置に流出冷却風を整流する整流手段を有する流出部が設けられた構成の筒本体に適用できることは言うまでもない。
【００２０】
上述の紡糸筒においてパック２の取付、取り外し操作を行う場合は、奥側シャッター９の取手部材１４を持って引き出す。この時、引き出し側シャッター１０は奥側シャッター９の支持部材１３に乗った状態で該引き出し側シャッター１０の遮蔽板１５がストッパ１７に当接するまで引き出される。
【００２１】
そして、パック２の取付、取り外し操作が終了すると、取手部材１４または取手部材１６によって奥側シャッター９の遮蔽板１２がガイド１１の奥部に当接するまで押し込むと、該奥側シャッター９と引き出し側シャッター１０が所定の位置にセットされる。
【００２２】
紡糸口金３の位置調節操作を行う場合は、引き出し側シャッター１０の取手部材１６を持って遮蔽板１５がストッパー１７に当接するまで引き出す。この時、奥側シャッター９は筒本体４のガイド１１に収まったままである。
【００２３】
そして、紡糸口金３の位置調節操作が終了すると、引き出し側シャッター１０を遮蔽板１５が奥側シャッター９の遮蔽板１２に当接するまで押し込む。
【００２４】
上述の紡糸筒において、冷却風が吹き出されている運転状態で溶融ポリマーの吐出を停止する場合は、保温用シャッター８の取手部材１９を持って遮蔽板１８の先端部がガイド１１の奥部に当接するまで押し込んで糸条通過用穴部７ａを遮蔽するようにする。
【００２５】
該保温用シャッター８によって紡糸筒に冷却風が供給されても冷却風または外気が紡糸口金３部に向って噴射されたり入り込んだりせず、紡糸口金３の下面が冷却されて糸条の吐出を再開する時の障害になるのを防止することができる。
【００２６】
【発明の効果】
本発明の紡糸筒は請求項１に記載されているように分割シャッターを、紡糸口金と略同軸心に糸条通過用穴部が形成されるように、かつ前記糸条通過用穴部と略軸心位置において２分割し、分割した一方を奥側シャッター、他方を引き出し側シャッターとして押し込み又は引き出し可能な構成にしているため、口金位置調節作業、パック交換作業等に合わせてシャッターの押し込み又は引き出し操作が容易にかつ円滑に行うことができる。さらに、前記引き出し側シャッターが乗った状態で押し込み又は引き出しが可能な支持部材を前記奥側シャッターに設けることにより、前記引き出し側シャッターのみ又はこの引き出し側シャッターと前記奥側シャッターの両方のシャッターを同時に押し込み又は引き出すことができるので、口金位置調節作業、パック交換作業等のときに、必要とするシャッターを押し込み又は引き出すことが可能であり、各作業を効果的に行える。
【００２７】
また、本発明の紡糸筒は請求項２に記載のような、糸条通過可能な待機位置と冷却風または外気が紡糸口金部に入り込まないようにする遮蔽位置とに移動可能な保温用シャッターを分割シャッターの上方または下方に設けた構成にすると、紡糸口金から糸条を吐出させない状態で紡糸筒に冷却風が供給されても冷却風または外気が紡糸口金部に入り込まず、紡糸口金の下面が冷却されて糸条の吐出を再開する時の障害になるのを防止することができる。
【図面の簡単な説明】
【図１】本発明の紡糸筒の構成の１実施例を示す概略図である。
【図２】図１における分割シャッターと保温用シャッターを引き出してしまった状態を示す概略斜視図である。
【符号の説明】
１  スピンブロック
２  パック
３  紡糸口金
４  筒本体
５  冷却風供給室
６  吹き込み部
７  分割シャッター
８  保温用シャッター
９  奥側シャッター
１０  引き出し側シャッター
１１  ガイド
１２、１５、１８  遮蔽板
１３  支持部材
１４、１６、１９  取手部材
１７  ストッパー
７ａ  糸条通過用穴部
１２ａ、１５ａ  半円状切り欠き部
【図１】
0004169233.tif 000002
【図２】
0004169233.tif 000003